(57)【要約】【課題】本発明は、小型軽量化、薄型化に適したディスクローディング機構及びディスク装置を提供することを目的とする。【解決手段】ディスクを挿入することでディスクの径に応じて移動するレールと、レールの移動に応じてディスクの挿入方向に沿って可動自在に設けられたストッパアームと、弾性部材に連結されディスクの挿入によって弾性部材の弾性に抗して可動自在に設けられた可動アームとを備え、ディスクの挿入によってレールが移動することでストッパアームがディスクの挿入方向の挿入量を規制する位置まで移動し、可動アームはディスクを所定量挿入することで、弾性部材の弾性によってディスクを移動させる構成とした。【選択図】図２４
2005222607.tif 000002
【特許請求の範囲】
【請求項１】
ディスクを挿入することでディスクの径に応じて移動するレールと、前記レールの移動に応じてディスクの挿入方向に沿って可動自在に設けられたストッパアームと、弾性部材に連結されディスクの挿入によって前記弾性部材の弾性に抗して可動自在に設けられた可動アームとを備え、ディスクの挿入によって前記レールが移動することで前記ストッパアームがディスクの挿入方向の挿入量を規制する位置まで移動し、前記可動アームはディスクを所定量挿入することで、前記弾性部材の弾性によってディスクを移動させることを特徴とするディスクローディング機構。
【請求項２】
レールを一対設け、前記一対のレールはディスクの挿入方向と略垂直な方向に移動可能に設けられ、しかも前記一対のレールはディスクの挿入によって互いに反対方向に移動するように前記一対のレールの間に前記一対のレールの双方と噛み合うギアを設けたことを特徴とする請求項１記載のディスクローディング機構。
【請求項３】
可動アームを一対設け、前記可動アームはディスクの挿入方向と略垂直な方向に移動可能に設けられ、前記可動アームの先端部の間隔は挿入可能な最小ディスクの半径よりも間隔が狭くなるように構成したことを特徴とする請求項１記載のディスクローディング機構。
【請求項４】
前面にベゼルを設け、前記ベゼルにディスクを挿抜可能なスリットを設けたことを特徴とする請求項１記載のディスクローディング機構。
【請求項５】
可動自在に互いに取り付けられた第１及び第２のベースと、前記第１のベースに取り付けられディスクを回転させる回転駆動手段と、前記第１のベースに取り付けられディスクに対して情報の記録或いは再生の少なくとも一方を行うピックアップと、前記第２のベースに設けられた請求項１〜４いずれか１記載のディスクローディング機構とを備え、前記第１のベースと前記第２のベースを開放して前記第２のベースに設けられたディスクローディング機構によりディスクを第１のベースに取り込んだ後、前記第１及び第２のベースを閉じることによって、前記第２のベースに取り込まれたディスクが前記第１のベースに取り付けられた前記回転駆動手段に装着されることを特徴とするディスク装置。
【請求項６】
第１及び第２のベースはディスク挿入側と反対側において回動自在に連結されていることを特徴とする請求項５記載のディスク装置。
【請求項７】
第１及び第２のベースの少なくとも一方に、前記第１及び第２のベースが閉じられた時或いは閉じられる直前にディスクローディング機構のレール及び可動アームをディスクに対して非接触とする非接触機構を設けたことを特徴とする請求項５記載のディスク装置。
【請求項８】
第１のベースに突起を設け、第２のベースに前記突起の接触によって移動する被当接部を設け、前記被当接部はレール及び可動アームと連動し、前記第１のベースと前記第２のベースを閉じた時あるいは閉じる直前に前記突起と前記被当接部が当接し、ディスクと前記レールと前記可動アームを非接触としたことを特徴とする請求項７記載のディスク装置。
【請求項９】
開閉自在に取り付けられた第１及び第２の筐体と、前記第１の筐体に設けられた演算処理部と、前記第１の筐体に設けられたデータ等の入力部と、前記第２の筐体に設けられた表示部とを備えた電子機器であって、第１の筐体に請求項５〜８いずれか１記載のディスク装置を取り付けたことを特徴とする電子機器。
【請求項１０】
第１の筐体の一部分を回動自在に設け、前記第１の筐体の一部分とディスク装置の第２のベースを連動させたことを特徴とする請求項１記載の電子機器。
【発明の詳細な説明】
【技術分野】
【０００１】
本発明は、パーソナルコンピュータやオーディオ機器などに搭載可能なディスクローディング機構及びディスク装置に関するものである。
【背景技術】
【０００２】
従来のディスク記録媒体の装着方法について説明する。なお、以下ディスク記録媒体とは中心孔を有する同心円盤状媒体を指し、これには例えば、旧ＥＰレコード盤をはじめ、ＭＯ、ＰＤ、ＣＤ、ＣＤ−ＲＯＭ、ＣＤ−Ｒ、ＣＤ−ＲＷ、ＤＶＤ−ＲＯＭ、ＤＶＤ−ＲＡＭ、ＤＶＤ−Ｒ、ＤＶＤ−ＲＷ、ＤＶＤ＋ＲＷ等の記録媒体が含まれる。以下、これ等を包括する総称として単にディスクという。また、とくに断らない限り、ジャケットに収納されていないベアディスクを指すものとする。またディスクを搬送する機構とは、ディスクをディスク装置に供給し、その供給位置から回転駆動部に装着する位置まで搬送することを表わす。
【０００３】
このような搬送方式には、従来から採用されているような次に例示する３種類の方式がある。一つめは、例えば、（特許文献１）に開示されているような方式であり、ディスクのストッカからベアディスクを取り出して搬送するもので、一般にチェンジャと呼ばれている。
【０００４】
二つめは、操作者が自らディスクを回転駆動部に装着、固定して回転駆動する位置まで搬送するものである。トレイ方式と呼ばれ、例えば、（特許文献２）に開示されているような方式であり、操作者がディスクをターンテーブルに装着し、ターンテーブルを含む回転駆動部全体を回転駆動する位置まで搬送するものである。
【０００５】
三つめは、ディスクをジャケットに収納しておき、このジャケットを回転駆動部まで搬送した後、ジャケットの中のディスクを固定し回転するものである。例えば、（特許文献３）に開示されているような方式であり、搬送機構による搬送とモータの垂直移動により再生装置に装着するものである。
【０００６】
以上３種類の搬送方式は固定機構がディスク搬送方向と垂直方向に移動するための上下移動機構を必要とし、複雑な移動機構とその移動空間を必要とするものであった。また操作者が回転駆動部に装着するには、操作し易い位置まで回転駆動部を引き出すために移動させる必要があり、やはり移動機構と移動空間を必要とした。
【特許文献１】特開平６−２９０５２９号公報
【特許文献２】特開平７−２５４１９９号公報
【特許文献３】特許第２５８５１７６号公報
【発明の開示】
【発明が解決しようとする課題】
【０００７】
しかしながら、コンピュータ装置は小型軽量化が進行し、コンピュータ装置の外部記憶装置に使用されるディスク装置も、小型軽量化、薄型化が要求されている。このため引き出し移動機構や上下移動機構の存在が、薄型にするための障害になっていて、従来の３つの搬送方式では薄型にするには限界があった。また、より快適なコンピュータの操作性を与えるために操作者による装着操作を必要としないディスク装置が要求されるようになってきている。
【０００８】
本発明は小型軽量化、薄型化に適した構造のディスク装置であって、引き出し移動機構
や上下移動機構を不要にして装置全体を薄型に構成するとともに、ディスクの自動装着と自動排出を可能にしたディスクローディング機構及びディスク装置を提供することを目的とする。
【課題を解決するための手段】
【０００９】
本発明は、ディスクを挿入することでディスクの径に応じて移動するレールと、レールの移動に応じてディスクの挿入方向に沿って可動自在に設けられたストッパアームと、弾性部材に連結されディスクの挿入によって弾性部材の弾性に抗して可動自在に設けられた可動アームとを備え、ディスクの挿入によってレールが移動することでストッパアームがディスクの挿入方向の挿入量を規制する位置まで移動し、可動アームはディスクを所定量挿入することで、弾性部材の弾性によってディスクを移動させる構成とした。
【発明の効果】
【００１０】
本発明は、挿入するディスク径に応じて、ディスク挿入量を規制できるので径の異なるディスクの自動のローディングに対応でき、しかもディスクの挿入方向の位置決めやその垂直方向の位置決めを精度良く行うことができ、更にはディスクローディング自体の動力にモータなどを用いない構成なので薄型化なども実現できる。
【発明を実施するための最良の形態】
【００１１】
請求項１記載の発明は、ディスクを挿入することでディスクの径に応じて移動するレールと、前記レールの移動に応じてディスクの挿入方向に沿って可動自在に設けられたストッパアームと、弾性部材に連結されディスクの挿入によって前記弾性部材の弾性に抗して可動自在に設けられた可動アームとを備え、ディスクの挿入によって前記レールが移動することで前記ストッパアームがディスクの挿入方向の挿入量を規制する位置まで移動し、前記可動アームはディスクを所定量挿入することで、前記弾性部材の弾性によってディスクを移動させることを特徴とするディスクローディング機構であり、挿入するディスク径に応じて、ディスク挿入量を規制できるので径の異なるディスクの自動のローディングに対応でき、しかもディスクの挿入方向の位置決めやその垂直方向の位置決めを精度良く行うことができ、更にはディスクローディング自体の動力にモータなどを用いない構成なので薄型化なども実現できる。
【００１２】
請求項２記載の発明は、レールを一対設け、前記一対のレールはディスクの挿入方向と略垂直な方向に移動可能に設けられ、しかも前記一対のレールはディスクの挿入によって互いに反対方向に移動するように前記一対のレールの間に前記一対のレールの双方と噛み合うギアを設けたことを特徴とする請求項１記載のディスクローディング機構であり、ディスクをシフトして挿入しても、レールがディスクの径に応じて連動するので、確実にディスク挿入量の規制を行える。
【００１３】
請求項３記載の発明は、可動アームを一対設け、前記可動アームはディスクの挿入方向と略垂直な方向に移動可能に設けられ、前記可動アームの先端部の間隔は挿入可能な最小ディスクの半径よりも間隔が狭くなるように構成したことを特徴とする請求項１記載のディスクローディング機構であり、種々のディスクを確実に可動アームの弾性によって自動的なローディングを実現できる。
【００１４】
請求項４記載の発明は、前面にベゼルを設け、前記ベゼルにディスクを挿抜可能なスリットを設けたことを特徴とする請求項１記載のディスクローディング機構であり、ディスクの挿入箇所を明確にすることができ、挿入性などを向上させることができる。
【００１５】
請求項５記載の発明は、可動自在に互いに取り付けられた第１及び第２のベースと、前記第１のベースに取り付けられディスクを回転させる回転駆動手段と、前記第１のベース
に取り付けられディスクに対して情報の記録或いは再生の少なくとも一方を行うピックアップと、前記第２のベースに設けられた請求項１〜４いずれか１記載のディスクローディング機構とを備え、前記第１のベースと前記第２のベースを開放して前記第２のベースに設けられたディスクローディング機構によりディスクを第１のベースに取り込んだ後、前記第１及び第２のベースを閉じることによって、前記第２のベースに取り込まれたディスクが前記第１のベースに取り付けられた前記回転駆動手段に装着されることを特徴とするディスク装置であり、回転駆動手段及びピックアップをディスクローディング機構とは別のベースに設けることによって、回転駆動手段及びピックアップを非可動とすることで、装置自体の薄型化を実現できる。
【００１６】
請求項６記載の発明は、第１及び第２のベースはディスク挿入側と反対側において回動自在に連結されていることを特徴とする請求項５記載のディスク装置であり、ディスク挿入時に必要な部分だけを上下させることができるので、装置の可動範囲も含めた小型化を実現でき、構成の簡単になる。
【００１７】
請求項７記載の発明は、第１及び第２のベースの少なくとも一方に、前記第１及び第２のベースが閉じられた時或いは閉じられる直前にディスクローディング機構のレール及び可動アームをディスクに対して非接触とする非接触機構を設けたことを特徴とする請求項５記載のディスク装置であり、第２のベースで正確に位置決めされたディスクを回転駆動手段に装着寸前状態を保持でき、しかも回転駆動手段に装着した後、ディスクを位置決め保持していた各部材をディスクと非接触とすることができるので、スムーズに装着したディスクを回転駆動させることができる。
【００１８】
請求項８記載の発明は、第１のベースに突起を設け、第２のベースに前記突起の接触によって移動する被当接部を設け、前記被当接部はレール及び可動アームと連動し、前記第１のベースと前記第２のベースを閉じた時あるいは閉じる直前に前記突起と前記被当接部が当接し、ディスクと前記レールと前記可動アームを非接触としたことを特徴とする請求項７記載のディスク装置であり、機械的な構成で、しかも確実に第１及び第２のベースが閉じられた際に、ディスクを部材からフリーにできるのでスムーズかディスクの回転を実現できる。
【００１９】
請求項９記載の発明は、開閉自在に取り付けられた第１及び第２の筐体と、前記第１の筐体に設けられた演算処理部と、前記第１の筐体に設けられたデータ等の入力部と、前記第２の筐体に設けられた表示部とを備えた電子機器であって、第１の筐体に請求項５〜８いずれか１記載のディスク装置を取り付けたことを特徴とする電子機器であり、薄型でしかもディスク挿抜性に優れている。
【００２０】
請求項１０記載の発明は、第１の筐体の一部分を回動自在に設け、前記第１の筐体の一部分とディスク装置の第２のベースを連動させたことを特徴とする請求項１記載の電子機器であり、より薄型の電子機器を提供できる。
【００２１】
以下、本発明の実施の形態について、図を用いて説明する。
【００２２】
図１，図２，図３に示すように、電子機器の一例として示すノートブックパソコンは、上キャビ２と下キャビ３で本体下部を構成し、本体下部にはＣＰＵ・記憶装置・光ドライブ装置１・キーボード等と、上キャビ３に回転自在に係合或いは取り付けられた上ブタ４とを少なくとも有している。本体下部の前面（下キャビ２）にはイジェクトボタン６が設けられており、イジェクトボタン６が押されると、本体下部よりイジェクト指令がモータに届き、ロックを解除して蓄えたバネ力で上ブタ４及び光ドライブ装置１のローディングメカ部２０が跳ね上がる。
【００２３】
また、本体上部には、画像やキャラクタ或いは文字などを表示する表示装置が設けられており、表示装置としては液晶ディスプレー，有機ＥＬディスプレー，プラズマディスプレーなどの薄型表示装置が好ましく用いられる。なお、本体上部と本体下部は回動自在に互いに取り付けられている。
【００２４】
ユーザは光ディスクを挿入するスリットが設けられたフロントベゼル２２から光ディスクを挿入する。なお、本実施の形態においては、所謂携帯型のノートブックパソコンを例示したが、デスクトップ型のパーソナルコンピュータや他のモバイル型などの電子機器に適応できる。
【００２５】
次に、図４〜図７を用いて、内部詳細を説明する。
【００２６】
ディスクをローディング／イジェクトするためのローディングメカ部２０は、各部を載置するメカシャーシ２１と、ディスク挿入のためのスリットが設けられたフロントベゼル２２と、左右に自在に移動してディスクを左右から挟み込みディスク搬送をガイドする右レール２３及び左レール２４と、右レール２３及び左レール２４を同調して作動させための回転自在に設けられた同調ギア２５と、ディスク周縁部に接しディスクをドライブ装置内に搬送するための右アーム２６及び左アーム２７と、右アーム２６及び左アーム２７を同調させる連結アーム２８と、ディスク径１２ｃｍ／８ｃｍの直径差によって送り方向の送り量を制限するストッパアーム２９と、モータの駆動力でディスクをイジェクトするイジェクトアーム３０と、左レール２４及び右レール２３の作動方向を制限するレール押さえピン３１と、左レール２４及び右レール２３を常にディスク内側方向へ押圧するレールばね３２と、左アーム２７及び右アーム２６を常にディスク内周方向へ押圧するアームバネ３３と、ストッパアーム２９を常にディスク内周方向へ押圧するストッパバネ３４と、イジェクトアーム３０に係合されトグルバネとなるイジェクトバネ３５と、上ブタを上方へ押し上げる上ブタバネ３６と、左アーム２７及び右アーム２６を連結したときに起こるリンク的な左右のずれを補正する連結アームバネ３７と、メカシャーシ２１を再生時の閉じた状態に固定するロックボタン３８と、ロックボタン３８をロック方向に押圧するロックボタンバネ３９と、駆動力をロックボタンに伝えてロックを解除する解除板４０と、ローディングメカ部２０のロックを解除しイジェクトアーム３０を回してディスクをイジェクトするモータ４１と、モータ４１の駆動を伝えるギア４２〜４４と、ギア４４を載置しギア４２の回転中心を中心として自在に回転するギアクラッチ板４５と、ローディングメカ部２０を常に上方に押圧するチルトバネ４６とで構成される。
【００２７】
次に、上述の様に構成された光ディスク装置１について、図８〜図２２を用いてその動作を説明する。
【００２８】
ディスクをローディングする前に、ユーザーはイジェクトボタンを押し、光ディスク装置１をオープンさせる。
【００２９】
オープンするとフロントベゼル２２のディスク挿入用のスリットが露出するので、ユーザーはディスクをスリットに押し込む（図８，図９）。
【００３０】
ピン部２３ａとカム部２６ａの動きが分かりやすいように連結アーム２８の一部を切り欠いた状態で説明する（図９，図１０）。
【００３１】
まず、ディスクの先端がフロントベゼル２２に設けられたスリットに差し込まれると、左レール２４及び右レール２３のフロントベゼル２２側端部にディスク周縁部が接触する（ここで右レール２３と左レール２４のそれぞれのフロントベゼル２２側端部の幅は８ｃ
ｍディスク直径より狭く設定されている）。ディスク周縁部に接触された左レール２４及び右レール２３は同調ギア２５により、左右同調しながらディスク外周方向に向かって開きはじめる。左レール２４及び右レール２３が開き始めると右レール２３のピン部２３ａが右アーム２６のカム部２６ａに接触し、右レール２３をディスク外周方向に向かって押し広げる。
【００３２】
さらに左レール２４及び右レール２３が広がると、右レール２３のピン部２３ａは右アーム２６のカム部２６ａに沿って右アームをさらに押し広げる。やがてディスク周縁部は左アーム２７及び右アーム２６の先端に達し、さらにディスクをドライブ装置内部へ押し込むと、左アーム２７及び右アーム２６はディスク周縁部に沿って押し広げられる。またストッパアーム２９は右レール２３に設けられたカム溝に沿って動作する。さらに、ディスク周縁部はイジェクトアーム３０先端部に当接し、イジェクトアーム３０を後退させる。
【００３３】
さらにディスクが進むと、イジェクトアーム３０先端もディスク周縁部に押されて回転をはじめる（図１１，図１２）。
【００３４】
ディスク周縁部がイジェクトアーム３０の先端部に当接すると、イジェクトアーム３０は支点を中心に回動して先端部は後退を始める。そのとき、ギア部３０aに当接した駆動ギア４４はギアクラッチ板４５とともに回転して、ギア部３０ａから離れるためギア同士の噛み合いが外れ、イジェクトアーム３０はフリーとなり回転を始める。
【００３５】
モータのピニオンギアとして取り付けられたウォームギア４２に９０度ねじれの関係でウォームホイル４３とギアクラッチ板４５がメカシャーシ２１上のシャフトに取り付く。
【００３６】
ギアクラッチ板には駆動ギア４４を取り付けるシャフトが構成されており、ギアクラッチ板４５と駆動ギア４４はウォームホイル４３の回転中心を支点として回動自由に取り付けられる。イジェクトアーム３０をローディング方向へ回転させればギアの噛み合いは外れ、モータ４１がイジェクト方向へ回転すればギアが噛み合ってイジェクトアーム３０をイジェクト方向へ回転させる機構になっている。
【００３７】
さらにディスクが進むと（図１３）、イジェクトアーム３０に係合されたイジェクトバネ３５がトグルバネの働きをして力の方向が反転し、イジェクトアーム３０を後方に回動させる。また、ディスク周縁部に接している左アーム２７及び右アーム２６の先端が、ディスク径最大の地点を越えると、左アーム２７及び右アーム２６のバネ力による力の方向がディスクをローディング方向へ引き込む方向へ反転し、ユーザーの力を借りずにディスクを引き込み始める（図１４）。
【００３８】
ディスクはドライブ装置後方のストッパアーム３０先端に突き当たり、左レール２４及び右レール２３、左アーム２７及び右アーム２６のバネ力によって、ターンテーブル１１に載置するためのセンタリング位置で保持される（図１５）。
【００３９】
又図１６に示すようにローディングメカ部２０をドライブ装置底面方向から見ると、ディスクがストッパアーム２９先端のピン部２９ａに接触しローディング方向に押されると、ピン部２９ａは右レール２３のカム溝２３ｂの凹部に入りロックする。
【００４０】
ロックされたピン部２９ａに突き当たったディスクはレール及びアームに支持されセンタリングされる。
【００４１】
左レール２４及び右レール２３とストッパアーム２９は完全に連動しているため、精度
よくセンタリングを行うことができる。
【００４２】
ディスクのローディング動作が終了すると、ユーザは上ブタ４を閉める。そのとき、上ブタ４に押されてローディングメカ部２０も同時に閉じて、ロックボタン３８が下キャビ２に嵌合してロックされる。
【００４３】
また、ローディングメカ部２０が降りる際にアーム先端と下キャビ２の突起が接触し、アームを両側に押し開いてディスク再生時のディスク回転スペースを確保する（図１７）。
【００４４】
ローディングメカ部２０が押下されると、右アーム２６の右アーム先端部２６ｂが下キャビ２に設置されたスロープ状の突起Ａ部２ａに当接し、ディスク外周方向へ押し開かれる。同様に右レール２３の右レール突起部２３ｃと突起Ｃ部２ｃに当接し、ディスク外周方向へ押し開かれる。
【００４５】
この動作は８ｃｍディスク挿入時にも同様で、右アーム先端部２６ｂは突起Ｃ部２ｃと、右レール突起部２３ｃは突起Ｄ部２ｄとそれぞれ当接して押し開かれ再生時のディスク回転スペースを確保する（図１８）。
【００４６】
ユーザーがイジェクトを行いたいとき、イジェクトボタン６が押されると、イジェクト指令がモータ４１に伝達され、モータ４１がイジェクト方向に回転する。モータ４１の駆動力を受けたギアクラッチ板４５はギア噛み合い方向に回転し、駆動ギア４４とギア部３０ａが噛み合い、イジェクトアーム３０がイジェクト方向に回転しディスクを押し出しイジェクトする。
【００４７】
まず、イジェクトアーム３０が回転を始めると、イジェクトアーム３０のピン部３０ｂが解除版４０に当接し、解除版４０をドライブ奥側に引き込む。解除板４０は上ブタ４をロックしているロックボタン３８をロック解除方向に引っ張りロックを解除する。ロックが解除された上ブタ４およびローディングメカ部２０はチルトバネ４６および上ブタバネ３６の弾性力により上方に開き、フロントベゼル２２が露出するイジェクト状態になる（図１９）。
【００４８】
上ブタ４およびローディングメカ部２０がイジェクト状態に開くと、ディスクが押し出され、ディスクのイジェクトが完了する（図１９〜図２１）。
【００４９】
次に、８ｃｍディスクの挿入について図２２〜図２９を用いて説明する。
【００５０】
１２ｃｍディスクと同様にフロントベゼル２２のスリットからディスクを差し込む（図２２）。
【００５１】
１２ｃｍディスクの挿入時と同様に、左レール２４及び右レール２３にディスク周縁部が接触する（ここで左レール２４及び右レール２３間のレール幅は８ｃｍディスクの直径より狭く設定されている）。ディスク周縁部に接触された左レール２４及び右レール２３は同調ギア２５により、左右同調しながらディスク外周方向に向かって開きはじめる。左レール２４及び右レール２３が開き始めると右レール２３のピン部２３ａが右アーム２６のカム部２６ａに接触し、右レール２３をディスク外周方向に向かって押し広げる。
【００５２】
さらに左レール２４及び右レール２３が広がると、右レール２３のピン部２３ａは右アーム２６のカム部２６ａに沿って右アーム２６をさらに押し広げる。やがてディスク周縁部は左右アームの先端に達し、さらにディスクをドライブ装置内部へ押し込むと、左アー
ム２７及び右アーム２６はディスク周縁部に沿って押し広げられる（図２３）。
【００５３】
ディスク周縁部に接している左アーム２７及び右アーム２６先端が、ディスク径最大の地点を越えると、左アーム２７及び右アーム２６のバネ力による力の方向がディスクをローディング方向へ引き込む方向へ反転し、ユーザーの力を借りずにディスクを引き込み始める（図２４）。
【００５４】
ディスクがセンタリング位置近くになってくると、ディスク周縁部はストッパアーム２９先端部に当接し、ストッパアーム２９を押す（図２５）。
【００５５】
ストッパアーム２９は右レール２３のカム溝部２３ｂの凹部に入り、ディスクをセンタリング位置でロックする。これでセンタリングが完了する（図２６）。
【００５６】
ディスクは左アーム２７及び右アーム２６のバネ力で、ロックされたストッパアーム２９先端に当接され、センタリングの位置に収まる（図２７）。
【００５７】
ユーザーが上ブタ４を閉めると１２ｃｍディスクと同様に、左右アーム及び左右レールがディスク外周方向へ開かれ、再生時のディスク回転の妨げにならない位置関係となる（図２８）。
【００５８】
イジェクト時には１２ｃｍディスクと同様にモータ４１の動力により、上ブタ４及びローディングメカ部２０が開き、イジェクトアーム３０が回転しディスクを押し出してイジェクトが完了する（図２９）。
【００５９】
以上の様な構成によって、薄型化されたノートブックパソコンなどにも、オートローディング可能な光ディスク装置を提供でき、しかも径の異なるディスクに対しても、容易にセンタリングを行うことができ、モータなどに確実に装着可能となる。
【００６０】
なお、本実施の形態においては、異なるディスクの径として８ｃｍと１２ｃｍのもので説明したが、他の径でも各部の寸法や位置関係を変えることで、容易に対応でき、しかも３種以上のディスクに対しても、対応可能である。
【産業上の利用可能性】
【００６１】
本発明は、挿入するディスク径に応じて、ディスク挿入量を規制できるので径の異なるディスクの自動のローディングに対応でき、しかもディスクの挿入方向の位置決めやその垂直方向の位置決めを精度良く行うことができ、更にはディスクローディング自体の動力にモータなどを用いない構成なので薄型化なども実現できるので、パーソナルコンピュータやオーディオ機器などに適応可能である。
【図面の簡単な説明】
【００６２】
【図１】本発明の一実施の形態における情報再生装置を示す斜視図
【図２】本発明の一実施の形態における情報再生装置の部分拡大図
【図３】本発明の一実施の形態における情報再生装置の部分拡大図
【図４】本発明の一実施の形態における情報再生装置の部分拡大図
【図５】本発明の一実施の形態における情報再生装置を示す斜視図
【図６】本発明の一実施の形態における情報再生装置を示す斜視図
【図７】本発明の一実施の形態における情報再生装置に用いられる光カートリッジを示す斜視図
【図８】本発明の一実施の形態における情報再生装置を示す斜視図
【図９】本発明の一実施の形態における情報再生装置を示す斜視図
【図１０】本発明の一実施の形態における情報再生装置の動作を示す図
【図１１】本発明の一実施の形態における情報再生装置の動作を示す図
【図１２】本発明の一実施の形態における情報再生装置の動作を示す図
【図１３】本発明の一実施の形態における情報再生装置の動作を示す図
【図１４】本発明の一実施の形態における情報再生装置の動作を示す図
【図１５】本発明の一実施の形態における情報再生装置の動作を示す図
【図１６】本発明の一実施の形態における情報再生装置の動作を示す図
【図１７】本発明の一実施の形態における情報再生装置の動作を示す図
【図１８】本発明の一実施の形態における情報再生装置の動作を示す図
【図１９】本発明の一実施の形態における情報再生装置の動作を示す図
【図２０】本発明の一実施の形態における情報再生装置の動作を示す図
【図２１】本発明の一実施の形態における情報再生装置の動作を示す図
【図２２】本発明の一実施の形態における情報再生装置の部分拡大図
【図２３】本発明の一実施の形態における情報再生装置の動作を示す図
【図２４】本発明の一実施の形態における情報再生装置の動作を示す図
【図２５】本発明の一実施の形態における情報再生装置の動作を示す図
【図２６】本発明の一実施の形態における情報再生装置の動作を示す図
【図２７】本発明の一実施の形態における情報再生装置の動作を示す図
【図２８】本発明の一実施の形態における情報再生装置の動作を示す図
【図２９】本発明の一実施の形態における情報再生装置の動作を示す図
【符号の説明】
【００６３】
１    ドライブ
２    下キャビ
２ａ    突起Ａ部
２ｂ    突起Ｂ部
２ｃ    突起Ｃ部
２ｄ    突起Ｄ部
３    上キャビ
４    上ブタ
５    ディスプレイ
６    イジェクトボタン
７    １２ｃｍディスク
８    ８ｃｍディスク
１０    光ピックアップ部
１１    ターンテーブル
２０    ローディングメカ部
２１    メカシャーシ
２２    フロントベゼル
２３    右レール
２３ａ    ピン部
２３ｂ    カム溝部
２３ｃ    右レール突起部
２４    左レール
２５    同調ギア
２６    右アーム
２６ａ    カム部
２６ｂ    右アーム先端部
２７    左アーム
２８    連結アーム
２９    ストッパアーム
３０    イジェクトアーム
３０ａ    ギア部
３１    レール押さえピン
３２    レールバネ
３３    アームバネ
３４    ストッパバネ
３５    イジェクトバネ
３６    上ブタバネ
３７    連結アームバネ
３８    ロックボタン
３９    ロックボタンバネ
４０    解除板
４１    モータ
４２    ウォームギア
４３    ウォームホイル
４４    駆動ギア
４５    ギアクラッチ板
４６    チルトバネ
【図１】
2005222607.tif 000003
【図２】
2005222607.tif 000004
【図３】
2005222607.tif 000005
【図４】
2005222607.tif 000006
【図５】
2005222607.tif 000007
【図６】
2005222607.tif 000008
【図７】
2005222607.tif 000009
【図８】
2005222607.tif 000010
【図９】
2005222607.tif 000011
【図１０】
2005222607.tif 000012
【図１１】
2005222607.tif 000013
【図１２】
2005222607.tif 000014
【図１３】
2005222607.tif 000015
【図１４】
2005222607.tif 000016
【図１５】
2005222607.tif 000017
【図１６】
2005222607.tif 000018
【図１７】
2005222607.tif 000019
【図１８】
2005222607.tif 000020
【図１９】
2005222607.tif 000021
【図２０】
2005222607.tif 000022
【図２１】
2005222607.tif 000023
【図２２】
2005222607.tif 000024
【図２３】
2005222607.tif 000025
【図２４】
2005222607.tif 000026
【図２５】
2005222607.tif 000027
【図２６】
2005222607.tif 000028
【図２７】
2005222607.tif 000029
【図２８】
2005222607.tif 000030
【図２９】
2005222607.tif 000031